【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
遊星歯車式多段変速機、特に自動車用の自動変速機であって、
ａ）ハウジング長手方向軸（２）を備えるハウジング（３）と、
ｂ）駆動部と結合可能であり、駆動トルクを前記駆動部から前記遊星歯車式多段変速機（１）へ伝達する入力軸（１０）と、
ｃ）出力軸（１１）と、
ｄ）前記ハウジング長手方向軸（２）に沿って配置された４つの遊星歯車セット（１２、１３、１４，１５）であって、各々が、太陽歯車（１８、２２、２６、３０）、内歯車（１９、２３、２７、３１）、およびキャリア（２０、２４、２８、３２）および遊星歯車（２１、２５、２９、３３）を備える遊星歯車セット（１２、１３、１４，１５）と、
ｅ）４つのクラッチ（４、５、６、７）および２つのブレーキ（８、９）として構成され、前記ハウジング（３）の内部に配置された６つのシフト要素と、
ｆ）前記遊星歯車セット（１２、１３、１４、１５）、前記入力軸（１０）、前記出力軸（１１）、前記クラッチ（４、５、６、７）および／または前記ブレーキ（８、９）の間を結合する結合軸（３４、３５、３６、３７、３８、３９、４０、４１、４４）と、を備え、
ｇ）前記遊星歯車セット（１２、１３、１４、１５）を、前記シフト要素（４、５、６、７、８、９）により、前記入力軸（１０）および前記出力軸（１１）の間で、種々の変速比（ｉ）が作用するよう切り替え可能である遊星歯車式多段変速機。
【請求項２】
前記クラッチ（４、５、６、７）が、特に前記入力軸（１０）および前記出力軸（１１）である、外側の軸に配置されていることを特徴とする、請求項１に記載の遊星歯車式多段変速機。
【請求項３】
第１クラッチ（４）、第２クラッチ（５）および第３クラッチ（６）が、前記入力軸（１０）に配置されていることを特徴とする、請求項１または２に記載の遊星歯車式多段変速機。
【請求項４】
第１クラッチ（４）、第２クラッチ（５）および第３クラッチ（６）が、前記ハウジング長手方向軸（２）に沿って並び、配置されていることを特徴とする、請求項１〜３の何れか一項に記載の遊星歯車式多段変速機。
【請求項５】
第４クラッチ（７）が、前記出力軸（１１）に配置されていることを特徴とする、請求項１〜４の何れか一項に記載の遊星歯車式多段変速機。
【請求項６】
請求項１〜５の何れか一項に記載の遊星歯車式多段変速機であって、
ａ）前記入力軸（１０）が、
ｉ）第１クラッチ（４）を介して、独立した第３遊星歯車装置（１４）のキャリア（２８）と結合可能であり、
ｉｉ）第２クラッチ（５）を介して、第１遊星歯車セット（１２）の内歯車（１９）および前記遊星歯車セット（１３）の太陽歯車（２２）と結合可能であり、
ｉｉｉ）第３クラッチ（６）を介して、第１遊星歯車セット（１２）の太陽歯車（１８）と結合可能であり、および第３クラッチ（６）と第１ブレーキ（８）を介して、前記ハウジング（３）と結合可能であり、
ｂ）前記出力軸（１１）が、
ｉ）第３遊星歯車セットの内歯車（２７）と結合され、
ｉｉ）第４クラッチ（７）を介して、独立した第４遊星歯車装置（１５）のキャリア（３２）と結合可能であり、
ｃ）第１遊星歯車セット（１２）のキャリア（２０）が、第２遊星歯車セット（１３）のキャリア（２４）と結合され、
ｄ）独立した第２遊星歯車装置（１３）の内歯車（２３）が、第２ブレーキ（９）を介して、前記ハウジング（３）と結合可能であり、
ｅ）第２遊星歯車セット（１３）のキャリア（２４）が、第４遊星歯車セット（１５）の内歯車（３１）および第３遊星歯車セット（１４）の太陽歯車（２６）と結合され、
ｆ）第４遊星歯車セット（１５）の太陽歯車（３０）が、前記ハウジング（３）に固定されていることを特徴とする遊星歯車式多段変速機。
【請求項７】
前記シフト要素（４、５、６、７、８、９）が、２つの隣接する変速段の間の変速の際、その都度、厳密に１つの、事前に締結されていたシフト要素（４、５、６、７、８、９）を解放し、および厳密に１つの、事前に解放されていたシフト要素（４、５、６、７、８、９）を締結するよう切り替え可能であることを特徴とする、請求項６に記載の遊星歯車式多段変速機。
【請求項８】
請求項１〜７の何れか一項に記載の遊星歯車式多段変速機であって、全ての変速段（Ｇ１、Ｇ２、Ｇ３、Ｇ４、Ｇ４ａ、Ｇ４ｂ、Ｇ４ｃ、Ｇ５、Ｇ６、Ｇ７、Ｇ８、Ｇ９、Ｒ）において、その都度、３つのシフト要素（４、５、６、７、８、９）を締結し、前進第１速（Ｇ１）において第２ブレーキ（９）、第２クラッチ（５）および第４クラッチ（７）が、前進第２速（Ｇ２）において第１ブレーキ（８）、第２クラッチ（５）および第４クラッチ（７）が、前進第３速（Ｇ３）において第２クラッチ（５）、第３クラッチ（６）および第４クラッチ（７）が、前進第４速（Ｇ４）において第１クラッチ（４）、第２クラッチ（５）および第４クラッチ（７）が、前進第５速（Ｇ５）において第１クラッチ（４）、第２クラッチ（５）および第３クラッチ（６）が、前進第６速（Ｇ６）において第１ブレーキ（８）、第１クラッチ（４）および第２クラッチ（５）が、前進第７速（Ｇ７）において第２ブレーキ（９）、第１クラッチ（４）および第２クラッチ（５）が、前進第８速（Ｇ８）において第１ブレーキ（８）、第２ブレーキ（９）および第１クラッチ（４）が、前進第９速（Ｇ９）において第２ブレーキ（９）、第１クラッチ（４）が、および第３クラッチ（６）が締結され、ならびに後退速（Ｒ）において第２ブレーキ（９）、第３クラッチ（６）および第４クラッチ（７）が締結されることを特徴とする遊星歯車式多段変速機。
【請求項９】
代替的に、前進第４速（Ｇ４ａ；Ｇ４ｂ；Ｇ４ｃ）において、第１ブレーキ（８）、第１クラッチ（４）および第４クラッチ（７）が、または、第２ブレーキ（９）、第１クラッチ（４）および第４クラッチ（７）が、または、第１クラッチ（４）、第２クラッチ（５）および第４クラッチ（７）が締結されることを特徴とする、請求項８に記載の遊星歯車式多段変速機。
【請求項１０】
全ての遊星歯車セット（１２、１３、１４、１５）がマイナス遊星歯車装置として構成されていることを特徴とする、請求項１〜９の何れか一項に記載の遊星歯車式多段変速機。
【請求項１１】
少なくとも１つの遊星歯車セット（１２、１３、１４、１５）がプラス遊星歯車装置として構成されていることを特徴とする、請求項１〜９の何れか一項に記載の遊星歯車式多段変速機。
【請求項１２】
前記遊星歯車セット（１２、１３、１４、１５）の配置が、前記ハウジング長手方向軸（２）に沿って前記ハウジング（３）内で変化可能であることを特徴とする、請求項１〜１１の何れか一項に記載の遊星歯車式多段変速機。
【請求項１３】
前記結合軸（３４、３５、３６、３７、３８、３９、４０、４１、４４）の少なくとも１つ、前記入力軸（１０）および／または前記出力軸（１１）が、自由走行要素を備え、該自由走行要素により前記ハウジング（３）に結合されるか、および／またはその都度異なる軸（１０、１１、３４、３５、３６、３７、３８、３９、４０、４１、４４）に結合されることを特徴とする、請求項１〜１２の何れか一項に記載の遊星歯車式多段変速機。
【請求項１４】
少なくとも１つの、前記結合軸（３５、３６、３７、３８、３９、４０、４１、４４）のうちの１つの結合軸、前記入力軸（１０）および／または前記出力軸（１１）に取り付けられた駆動部により、該駆動部が装備された軸（１０、１１、３４、３５、３６、３７、３８、３９、４０、４１、４４）が駆動されることを特徴とする、請求項１〜１３の何れか一項に記載の遊星歯車式多段変速機。
【請求項１５】
摩擦接合型および／または形状接合型のシフト要素（４、５、６、７、８、９）を特徴とする、請求項１〜１４の何れか一項に記載の遊星歯車式多段変速機。
【請求項１６】
第２クラッチ（５）および第４クラッチ（７）が、噛み合い型シフト要素として構成されていることを特徴とする、請求項１５に記載の遊星歯車式多段変速機。
【請求項１７】
請求項１〜３の何れか一項に記載の遊星歯車式多段変速機であって、前記入力軸が、第３遊星歯車セットのキャリアと結合され、前記入力軸が、第２クラッチ（５）を介して、第２遊星歯車セットの太陽歯車と結合可能であり、前記入力軸が、第３クラッチ（６）を介して、第１遊星歯車セットの太陽歯車と結合可能であり、第１遊星歯車セットの太陽歯車が、第１ブレーキを介して、前記ハウジングと結合可能であり、第１遊星歯車セットのキャリアが、第２遊星歯車セットのキャリアと結合され、第１遊星歯車セットの内歯車が、第２遊星歯車セットの太陽歯車と結合され、第２遊星歯車セットの内歯車が、第２ブレーキ（９）を介して、前記ハウジングと結合可能であり、第２遊星歯車セットのキャリアが、第４遊星歯車セットの内歯車と結合され、第３遊星歯車セットの内歯車が、第４クラッチを介して、第４遊星歯車セットのキャリアと結合可能であり、および第４遊星歯車セットの太陽歯車が、前記ハウジングと結合されていることを特徴とする遊星歯車式多段変速機。
【請求項１８】
第２遊星歯車セットのキャリアが、第１クラッチ（４ｂ）を介して、第３遊星歯車セットの太陽歯車と結合可能であり、および第３遊星歯車セットの内歯車が、前記出力軸と結合されていることを特徴とする、請求項１７に記載の遊星歯車式多段変速機。
【請求項１９】
第２遊星歯車セットのキャリアが、第３遊星歯車セットの太陽歯車と結合され、および第３遊星歯車セットの内歯車が、第１クラッチを介して、前記出力軸と結合可能であることを特徴とする、請求項１７に記載の遊星歯車式多段変速機。
【手続補正２】
【補正対象書類名】明細書
【補正対象項目名】００１４
【補正方法】変更
【補正の内容】
【００１４】
更なる好適な一実施形態により、結合軸の少なくとも１つ、入力軸および／または出力軸を、自由走行要素によりハウジングに結合するか、および／または互いに結合させる。これにより、独立した遊星歯車装置の切り替え、ならびに独立した遊星歯車装置のハウジング内の連結に関して追加的な自由度が生じる。
【手続補正３】
【補正対象書類名】明細書
【補正対象項目名】００２７
【補正方法】変更
【補正の内容】
【００２７】
図示の実施形態により、遊星歯車セット１２乃至１５の各々は、内側に位置して外側に歯を有する太陽歯車、外側に位置して内側に歯を有し、特に変速機長手方向軸２に対して同心的に配置された内歯車、および各々がキャリアを備え、太陽歯車と内歯車の間に配置された複数の遊星歯車を供える。遊星歯車式多段変速機が伝達するトルクの大きさに従い、遊星歯車の個数が変化可能である。対応して第１遊星歯車セット１２は、太陽歯車１８、内歯車１９、および少なくとも１つのキャリア２０を有する遊星歯車２１を備える。対応して第２遊星歯車セット１３は、太陽歯車２２、内歯車２３、およびキャリア２４を有する、少なくとも１つの遊星歯車２５を備える。第３遊星歯車セット１４は、太陽歯車２６、内歯車２７、およびキャリア２８を有する、少なくとも１つの遊星歯車２９を備える。第４遊星歯車セット１５は、太陽歯車３０、内歯車３１、およびキャリア３２を有する、少なくとも１つの遊星歯車３３を備える。